(57)【要約】  本発明の目的は、セグメント導体同士を信頼性高く接続することである。  本発明に係る分布巻ラジアルギャップ型回転電機及びその固定子は、Ｕ字状に成形した複数のセグメント導体３，４と、複数のセグメント導体３，４が分布巻の状態で挿入される固定子コア１とを備える。複数のセグメント導体３，４は、互いに接続される先端部に凸形状と凹形状がそれぞれ形成され、前記凸形状と前記凹形状は、軸方向垂直方向が接触面となる組み合わせ面を有している。前記凸形状の凸側寸法は、前記凹形状の凹側寸法よりも大きく形成され、複数のセグメント導体３，４により構成されるコイルエンドが、樹脂モールドリング部６で一体化されるコイル群を構成する。
2020017133.tif 000002
【特許請求の範囲】
【請求項１】
Ｕ字状に成形した複数のセグメント導体と、
前記複数のセグメント導体が分布巻の状態で挿入される固定子コアと、を備え、
前記複数のセグメント導体は、互いに接続される先端部に凸形状と凹形状がそれぞれ形成され、
前記凸形状と前記凹形状は、軸方向垂直方向が接触面となる組み合わせ面を有し、
前記凸形状の凸側寸法は、前記凹形状の凹側寸法よりも大きく形成され、
前記複数のセグメント導体により構成されるコイルエンドが、樹脂またはその他の絶縁物または高熱伝導部材で一体化されるコイル群を構成する分布巻ラジアルギャップ型回転電機の固定子。
【請求項２】
請求項１に記載された分布巻ラジアルギャップ型回転電機の固定子であって、
前記コイル群は、前記固定子コアを境に軸方向のどちらか一方だけに形成される分布巻ラジアルギャップ型回転電機の固定子。
【請求項３】
請求項１に記載された分布巻ラジアルギャップ型回転電機の固定子であって、
前記コイル群は、前記固定子コアを境に軸方向の双方に形成される分布巻ラジアルギャップ型回転電機の固定子。
【請求項４】
請求項１ないし３に記載されたいずれかの分布巻ラジアルギャップ型回転電機の固定子であって、
前記コイル群において、樹脂成型品と前記コイルエンドを接着剤により接続される分布巻ラジアルギャップ型回転電機の固定子。
【請求項５】
請求項１ないし４に記載されたいずれかの分布巻ラジアルギャップ型回転電機の固定子であって、
前記セグメント導体同士の接続部は、前記固定子コアに設けられたボビンにより構成されたスロット溝に配置される挿入される分布巻ラジアルギャップ型回転電機の固定子。
【請求項６】
請求項１ないし４に記載されたいずれかの分布巻ラジアルギャップ型回転電機の固定子であって、
前記セグメント導体同士の接続部は、前記固定子コアに設けられた絶縁紙で覆われた状態でスロット溝に挿入される分布巻ラジアルギャップ型回転電機の固定子。
【請求項７】
請求項１ないし６に記載されたいずれかの分布巻ラジアルギャップ型回転電機の固定子であって、
前記セグメント導体同士の接続部である前記凸形状と前記凹形状は、スズ、金、銀を含有するメッキ処理が施される分布巻ラジアルギャップ型回転電機の固定子。
【請求項８】
請求項１ないし７に記載されたいずれかの分布巻ラジアルギャップ型回転電機の固定子であって、
前記固定子コアは、アモルファスやナノ結晶合金を含む材料でありかつコアバック部分よりも磁気特性に優れる材料により構成されるティース部を有する分布巻ラジアルギャップ型回転電機の固定子。
【請求項９】
請求項１ないし８に記載されたいずれかの固定子を備える分布巻ラジアルギャップ型回転電機であって、
前記固定子のコイルエンド頂点部に配置される樹脂モールド部分をモータ筺体部分と接触させて保持させる分布巻ラジアルギャップ型回転電機。
【発明の詳細な説明】
【技術分野】
【０００１】
本発明は、回転電機に係り、特に分布巻ラジアルギャップ型回転電機及びその固定子に関する。
【背景技術】
【０００２】
産業機械の動力源や、自動車駆動用として用いられる回転電機は、高効率化が求められる。モータを高効率化するためには、モータの損失を低減することが必要で、モータの損失の２大要因であるコイル銅損と鉄心鉄損の低減設計を検討していく設計手法が一般的である。【０００３】
モータ要求仕様の出力特性（回転数とトルク）が決まると、機械損は一意に決まるため、鉄損と銅損を低減する設計が重要となる。鉄損は、使用する軟磁性材料によって低減が可能である。【０００４】
一般的なモータでは鉄心部分には電磁鋼板が採用されており、その厚みやＳｉの含有量などによって損失レベルが異なるものが利用されている。軟磁性材料には、電磁鋼板よりも透磁率が高く、鉄損が低い鉄基アモルファス金属や、ファインメット、高磁束密度が期待できるナノ結晶材料などの高機能材料が存在するが、これらの材料系では、その板厚が０．０２５ｍｍと非常に薄く、また、硬度がビッカース硬度で９００と電磁鋼板の５倍以上に硬いなど、モータを安価に製造する上での課題が多いために、それらの高機能材料をモータに適用する事が出来ないでいる。【０００５】
一方銅損は、主にコイルの抵抗値と電流の関係で決まり、冷却によってコイル抵抗値の低減や、磁石の残留磁束密度の低下の低下を抑えることによって電流値を低減するといった対策を行う。さらに、近年の自動車駆動用モータ等では固定子スロットの断面積に対する導体の比率（占積率）を高めて理論限界ぎりぎりまで抵抗値を小さくするような設計が行われている。しかし、スロット内の占積率が高くできる平角電線コイルは、スロットの両端部のコイルエンド部分の引き回しが複雑な構造となり、それらの導体同士を溶接などの方法によって接続することによって、コイルエンド部分のボリューム（線長）が大きくなってしまい、抵抗値が若干大きくなるなどの問題がある。【０００６】
特許文献１では、モータの固定子コイルに２本足のヘアピン形状導体セグメントを挿入して、挿入した側と反対側のコイルエンド部でそれぞれを曲げ成形して、周方向に配置された別のヘアピン形状コイルの曲げ成形された導体と溶接して円環状のコイルを形成する方法である。この方法では、スロット占積率を大きく出来る効果がある反面、製造時に、太く硬い平角導体を曲げ成形する必要があるため、固定子コアへの応力や、スロット絶縁物へのダメージ、接続部にも曲げた際の残留応力が残っているため、溶接接合信頼性の確保が困難といった課題があり、製造方法としては改善の余地がある。また、溶接を施すために溶接部の周囲の空間を取らなければならないため、溶接側ではコイルエンド部が大きくなってしまうといった問題もある。【０００７】
それらの改善を試みた方法に特許文献２が挙げられる。特許文献２の構造では、セグメント導体挿入方式の固定子コイルを軸方向に分割し、分割した端面をＶ字形状として組合せ可能な形状とし、そのＶ形状の組合せ部に導電ペースト接着剤を持いて接合して導体コイルを形成する方法が示されている。この方法では、コイルエンド部での溶接が無くなるため、コイルエンド部の形状を最適に設計することによってコイルの抵抗値を低く抑えられる効果が期待できる。しかし、導体同士を接着剤の塗布によって一つずつ組み立てていく必要があるため、工数の増加と信頼性の確保に課題がある。導電ペースト接着剤を用いない場合には、Ｖ形状の嵌合部は、一般的に面で接触することは困難であり、Ｖ面のどこかの線接触となることが知られている。しかも、製造バラつきを考えるとすべての線が同一の軸方向面で保持されるとは考えにくく、１本１本をしっかりと接続（接触）させられる位置に管理することは困難であると想定される。【０００８】
特許文献３には、軸方向に分割したコイルを突起と穴、または、凸形状と凹形状で接続する構成が示されている。こちらも、接続信頼性の確保のために、接続部が見える状態で接続することを特徴としている。接続処理を行った後に、分割した固定子コアの一部を周方向からはめ込んで組立てていくといった内容となっている。こちらも、接触接続部の挿入の信頼性確認、工数の増加、コア組立工数の増大などの課題がある。【０００９】
特許文献４には、特許文献３と同様に凹凸のコイル端面同士を接続する工法が示されている。スロットに挿入した後にコイルの一部に応力を加えて挿入したコイルを拡幅させてカシメ効果により信頼性の高い接続（導電性の確保）を満足する内容である。コアに挿入した後に拡幅する手段の記載が明確では無いが、接続箇所すべてでやるとなると拡幅工程の工数増加などが懸念される。
【先行技術文献】
【特許文献】
【００１０】
【特許文献１】特開２０１１−２３９６５１号公報
【特許文献２】特開２０１５−２３７７１号公報
【特許文献３】特開２０１３−２０８０３８号公報
【特許文献４】特開２０１６−１８７２４５号公報
【発明の概要】
【発明が解決しようとする課題】
【００１１】
本発明の課題は、セグメント導体同士を信頼性高く接続することである。
【課題を解決するための手段】
【００１２】
本発明に係る分布巻ラジアルギャップ型回転電機及びその固定子は、Ｕ字状に成形した複数のセグメント導体と、前記複数のセグメント導体が分布巻の状態で挿入される固定子コアと、を備え、前記複数のセグメント導体は、互いに接続される先端部に凸形状と凹形状がそれぞれ形成され、前記凸形状と前記凹形状は、軸方向垂直方向が接触面となる組み合わせ面を有し、前記凸形状の凸側寸法は、前記凹形状の凹側寸法よりも大きく形成され、前記複数のセグメント導体により構成されるコイルエンドが、樹脂またはその他の絶縁物または高熱伝導部材で一体化されるコイル群を構成する。
【発明の効果】
【００１３】
本発明により、セグメント導体同士を信頼性高く接続することができる。
【図面の簡単な説明】
【００１４】
【図１（ａ）】本実施形態に係るセグメント導体３及びセグメント導体４の分解斜視図である。
【図１（ｂ）】本実施形態に係るセグメント導体３及びセグメント導体４の接続部近傍の拡大斜視図であり、左側が接続前であり、右側が接続後である。
【図１（ｃ）】本実施形態に係るラジアルギャップ型回転電機の樹脂モールド部分の展開斜視図である。
【図２（ａ）】図１に示された実施形態に係るスロット絶縁用の樹脂製のボビン２の斜視図である。
【図２（ｂ）】本実施形態に係るボビン２を固定子コアに挿入した状態を示す部分斜視図である。
【図３（ａ）】他の実施形態に係る絶縁紙７の斜視図である。
【図３（ｂ）】絶縁紙７が折り曲げられた状態を示す斜視図である。
【図３（ｃ）】絶縁紙７を固定子コア１に挿入した状態を示す部分斜視図である。
【図４（ａ）】本実施形態に係るセグメント導体３の固定子コア１への配置例を示す部分斜視図である。
【図４（ｂ）】図４（ａ）に示された固定子コア１の上面図である。
【図４（ｃ）】図４（ａ）で示されたセグメント導体３を周方向に４８個並べた状態（コイルがすべて挿入された状態）のコイルエンド部を示す部分斜視図である。
【図５（ａ）】図４（ｃ）の固定子コア１を取り除いき複数のセグメント導体３だけを示す斜視図である。
【図５（ｂ）】図５（ａ）で示されたセグメント導体３のコイル群のコイルエンドの頂点部近くの一部を樹脂モールドリング部６によってコイル群を固めた状態を示す斜視図である。
【図６（ａ）】図５（ｃ）で示された別体に構成された樹脂モールドリング部６を示す下面図である。
【図６（ｂ）】別体に構成された樹脂モールドリング部６の全体斜視図である。
【図６（ｃ）】図６（ｂ）に示された樹脂モールドリング部６をコイル群に接続する前の全体斜視図である。
【図７（ａ）】図５及び図６で示された樹脂モールドリング部６で一体化されたセグメント導体３及び４のコイル群を固定子コア１に組み付ける状態を示す斜視図を示す。
【図７（ｂ）】樹脂モールドリング部６で一体化されたセグメント導体３及び４のコイル群を固定子コア１に組み付けた状態を示す斜視図を示す。
【図８（ａ）】本実施形態に係る固定子と回転子の関係を説明する斜視図である。
【図８（ｂ）】本実施形態に係るモータが組み立てられた形態を示す軸方向の断面図である。
【図９（ａ）】セグメント導体３とセグメント導体４の接続形態を示す斜視図である。
【図９（ｂ）】セグメント導体３とセグメント導体４の接続形態を示す正面図である。
【図１０（ａ）】セグメント導体３とセグメント導体４の嵌合部の比較例としての製作方法を示す部分斜視図である。
【図１０（ｂ）】本実施形態に係るセグメント導体３とセグメント導体４の嵌合部の製作方法を示す部分斜視図である。
【図１０（ｃ）】セグメント導体３とセグメント導体４の先端部周辺の部分斜視図である。
【図１１（ａ）】他の実施形態に係るボビン２の斜視図である。
【図１１（ｂ）】固定子コア１のティース部５がボビン２に挿入される前の全体斜視図である。
【図１１（ｃ）】ティース部５が固定子コア１に固定された部分斜視図である。
【図１２（ａ）】他の実施形態に係るセグメント導体３とセグメント導体４の斜視図である。
【図１２（ｂ）】他の実施形態に係るセグメント導体３とセグメント導体４のボビン２への接続状態を示す斜視図である。
【発明を実施するための形態】
【００１５】
本発明の実施形態を説明する前に本発明の原理について説明する。
【００１６】
分布巻ラジアルギャップ型モータ固定子コイルをヘアピン状（Ｕ字状）に成形したセグメント導体を、固定子軸方向の一部で軸方向双方向から挿入されたコイル同士が接続される構造のセグメント導体接続構造固定子において、セグメント導体の２つの先端部は、凸形状と凹形状などの軸方向垂直方向が接触面となる組み合わせ形状を有し、その凹凸の寸法関係は、しまりばめの寸法関係、すなわち、凸側寸法が凹側寸法より大きい形状を有し、周方向に配置されるすべてのコイルを挿入される状態に整列保持した状態で、コイルエンドの先端の一部を樹脂またはその他の絶縁物や、高熱伝導部材などで一体化する。
【００１７】
これにより、コイルの位置決めが確実に行われるとともに、コイルをスロット部に挿入する時の軸方向挿入力を均一に、しかも軸方向に確実に伝えることが可能にできる。前述した、凹凸の先端形状のしまり嵌め以上の嵌合、圧入公差では、非常に大きな挿入力を必要とするため圧入時には、嵌合部に対して軸方向に平行な応力をしっかりとかける必要があるが、前述したコイルエンドの一体化部分が無い場合には、コイルエンドの頂点部を押すことになるが、コイルの傾きや、複数本のコイルの頂点が別々に押し治具にあたるために、コイルの坐屈が発生してうまく挿入することが困難である。
【００１８】
本発明により、コイルに均一に応力をかけて挿入できるので、１回の挿入工程だけで、すべての嵌合部分の接続ができることになる。また、固定子コアのスロット部分には、コイルとコアの絶縁短絡を防止するための絶縁樹脂ボビン、スロットライナーなどを設け、スロット部に対してコイルを軸方向に平行に挿入するのを支援する構造を合わせて採用することも重要である。さらに、挿入後、両端コイルエンドに配置されたコイルエンド先端部の樹脂などのモールド部分をモータハウジングや、ベアリング保持部へと接触配置させることによって、固定子コイルに軸方向の応力を与え続け、モータとしての使用時に振動などによって、嵌合、圧入したコイル接続部が抜け出てこないように保持する構造を採用する。これによって、接続信頼性を高められる。さらにこの構造は、コイルエンド部からベアリング保持部や、ハウジングへの熱伝導率を高められる構造となるため、使用時のモータの温度上昇低減や、銅損の低減にも寄与できる。
【００１９】
上記のように構成された固定子コイルの接続は、すべてのコイルに均一となるように応力をかけて挿入できるので、１回の挿入工程だけで、すべての嵌合部分の接続ができる。また、固定子コアのスロット部分には、コイルとコアの絶縁短絡を防止するための絶縁樹脂ボビン、スロットライナーなどを設けているため、絶縁性能も確保可能である。さらに、挿入後、両端コイルエンドに配置されたコイルエンド先端部の樹脂などのモールド部分をモータハウジングや、ベアリング保持部へと接触配置させることによって、固定子コイルに軸方向の応力を与え続け、モータとしての使用時に振動などによって、嵌合、圧入したコイル接続部が抜け出てこないように保持する構造を採用する。これによって、接続信頼性を高められる。さらにこの構造は、コイルエンド部からベアリング保持部や、ハウジングへの熱伝導率を高められる構造となるため、使用時のモータの温度上昇低減や、銅損の低減にも寄与できる。製造時の溶接や曲げ工程の削減が可能である。
【００２０】
以下、図面等を用いて、本発明の実施形態について説明する。以下の説明は本発明の内容の具体例を示すものであり、本発明がこれらの説明に限定されるものではなく、本明細書に開示される技術的思想の範囲内において当業者による様々な変更および修正が可能である。また、本発明を説明するための全図において、同一の機能を有するものは、同一の符号を付け、その繰り返しの説明は省略する場合がある。
【実施例１】
【００２１】
図１は、本発明の一実施形態に係るラジアルギャップ型回転電機の固定子において、セグメント導体を軸方向で分割したものを固定子コアの中で再接続する構造を示す。【００２２】
図１（ａ）は、本実施形態に係るセグメント導体３及びセグメント導体４の分解斜視図である。  
図１（ａ）に示されるように、セグメント導体４は、２つの足を持つヘアピン形状又はＵ字形状である。またセグメント導体３の先端部は、凸形状である。【００２３】
セグメント導体３の軸方向反対側には、へアピン形状またはＵ字形状のセグメント導体４が設けられる。セグメント導体４の先端部は、凹形状である。セグメント導体３とセグメント導体４が、波巻が形成されるように、固定子コア１の軸方向長の中で接続される。【００２４】
図１（ｂ）は、本実施形態に係るセグメント導体３とセグメント導体４の接続部近傍の拡大斜視図であり、左側が接続前であり、右側が接続後である。【００２５】
セグメント導体３とセグメント導体４の接続部は、凸形状と凹形状がほぼ同一形状で噛み合うように形成され軸方向と平行な面を導体断面積よりも大きくするような形状として軸方向に平行な面で接触接続が行えるようになっている。【００２６】
これは、軸方向の同一箇所で接続を確保することが困難になった場合、軸方向に接触する構造や、Ｖ字形状で斜め面が接触するような形状とする。これにより、製周方向や径方向に多数あるコイルらの軸方向長さが異なった場合でも、造誤差や組立誤差を抑制することができる。【００２７】
図１（ｃ）は、本実施形態に係るラジアルギャップ型回転電機の樹脂モールド部分の展開斜視図である。【００２８】
本実施形態に係る固定子コア１のスロット数は、周方向に４８スロットである。固定子コア１のスロット部は、周方向に７．５度の角度ピッチをもって配置される。【００２９】
セグメント導体３及び４により構成されるコイルと固定子コア１との間の絶縁を確保するために、スロット部には絶縁物を設ける。本実施形態では、プラスチック製のボビン２がスロット部に配置される。【００３０】
セグメント導体３は、周方向に挿入される状態で整列させた状態で、コイルエンドの頂点部を含む部分を樹脂モールドリング部６によりでモールドされて、樹脂モールドリング部６とセグメント導体３のヘアピンコイル群が一体化される。【００３１】
ヘアピンコイル群のコイルエンドの一部を固定されることで、コイル群は、大掛かりな治具を使用することなく安定してハンドリングすることができる。樹脂モールドリング部６により一体化されたヘアピンコイル群が、固定子コア１のスロット部に挿入される。【００３２】
一方、軸方向反対側のセグメント導体４によるコイル群も同様にコイルエンド部の頂点部分が樹脂モールドリング部によりモールドされて、樹脂モールドリング部８とセグメント導体４のコイル群が一体化される。樹脂モールドリング部８により一体化されたコイル群が固定子コア１のスロット部に挿入され、さらにプレスなどの加圧装置によって所定の位置まで押し込むことにより、ヘアピンコイル群と完全な接続部の結合が為される。【００３３】
従来の固定子の製造方法では、コイル群を挿入するときに、コイルのコイルエンド頂点部に応力を付与するため、コイルが傾いたり、多数のコイルの挿入量や挿入力が異なったりするため、コイル同士を完全に結合することが困難であった。【００３４】
またコイル群を固定子コアに挿入後に、コイル群の位置調整のために、一つ一つのコイルのコイルエンド部頂点に軸方向応力を加えて軸方向の寸法を正そうとしても、一つのコイルの足は、周方向に２つのコイルの足とつながっている。その２つのコイルの軸方向位置がばらつきを有するので、完全な位置決めが困難であった。【００３５】
一方、本実施形態では、コイル群は一体化されており、軸方向の双方向とも、嵌合部の位置は概ねそろっているので、全体に圧力を加えることで結合を強固かつ安定に実行できる。【００３６】
図２（ａ）は、図１に示された実施形態に係るスロット絶縁用の樹脂製のボビン２の斜視図である。図２（ｂ）は、本実施形態に係るボビン２を固定子コア１に挿入した状態を示す部分斜視図である。【００３７】
図２（ｂ）に示されるように、固定子コア１のスロット形状は、スロット（溝）部の形状が、セグメント導体３及び４が入る溝の部分が長方形断面を有するストレートスロットである。開口部は、ギャップ側、言い換えると回転子と面する側に形成される。このような開口部は、オープンスロット形状と称される。【００３８】
図２（ａ）に示されるボビン２において、固定子コア１のスロット部に入る部分は、ストレートスロットに挿入可能な平行面形状となっている。【００３９】
そしてボビン２において、固定子コア１から軸方向にはみ出る部分には、周方向への突起（言い換えると鍔部）を設け、この突起により軸方向に位置決めができる構造となっている。【００４０】
また、図２（ａ）に示されるボビン２において、セグメント導体３及び４が１本ごとに絶縁されるよう、部屋２ａないし２ｆによって分けられた構造となっている。これにより、セグメント導体３及び４の位置決めや、セグメント導体３とセグメント導体４の間の絶縁がスムーズにできる。【００４１】
この樹脂製のボビン２は、通常熱可塑性のプラスチックの成形体で構成され、耐熱性の高い、ＰＰ、ＰＢＴ、ＰＰＳ、ＬＣＰなどに構成されることが好ましい。また近年、ガラスファイバーやシリカなどの含有によって、強度や熱伝導率を高めた材料があるのでそれらを用いることが望ましい。【００４２】
ボビン２は、スロットの幅方向寸法に対して、組立可能な公差の範囲で製作し、周方向や径方向や軸方向へのガタが無いように設置することが望ましい。【００４３】
本実施形態の固定子コア１は、ティース部５と、それ以外のコアバック部に分割される。固定子コア１が分割されかつ組立されて構成される分割コアの場合には、その分割部を覆うようにボビン２の前述した鍔部を重ねる。これにより、ボビン２が挿入された後は、分割コアがばらけないように保持できる。【００４４】
この時のティース部５には、鉄基アモルファス金属や、低損失電磁鋼板、高飽和磁化のナノ結晶合金箔帯などで構成されるものを採用することで、主磁束の鉄損を大幅に低減することが可能である。【００４５】
図３（ａ）は、他の実施形態に係る絶縁紙７の斜視図である。図３（ｂ）は、絶縁紙７が折り曲げられた状態を示す斜視図である。図３（ｃ）は、絶縁紙７を固定子コア１に挿入した状態を示す部分斜視図である。【００４６】
絶縁紙７は、厚さが０．２ｍｍ以下と非常に薄く、アラミドなどの高強度かつ絶縁体により構成されたノーメックスなどが望ましい。また絶縁紙７は、固定子コア１の軸方向長よりも数ｍｍ長く形成される。【００４７】
図３（ａ）に示されるように、絶縁紙７は、間隔を空けて谷折りされる。そして図３（ａ）に示されるように、絶縁紙７は、断面がＢ字型の形状であるスロットライナーとなる。【００４８】
このスロットライナーが複数設けられかつ固定子コア１の１つのスロットに複数個配置することで、絶縁構造が為される。図３（ｃ）に示されるように、３個のＢ字型の絶縁紙７がスロットに径方向に３個配置される。【００４９】
このスロットライナーは、スロットの軸方向から挿入することができるため、図示のように、アスロットの形状はセミクローズドスロット（スロット開口部が半分閉じているスロット形状）であってもよい。【００５０】
図３（ａ）ないし（ｃ）に示される実施形態では、固定子コア１を電磁鋼板の一体もので構成した場合の例を示したが、先に示した分割コア構造の場合においても採用可能である。絶縁紙スロットライナーを採用するメリットは、紙が厚さ０．２ｍｍ以下と薄いために、導体の占積率を高めることが可能である。樹脂ボビン成形体の厚さは、現在のところ、軸方向長などにもよるが０．３ｍｍ程度が限界である。【００５１】
図４（ａ）は、本実施形態に係るセグメント導体３の固定子コア１への配置例を示す部分斜視図である。【００５２】
本実施形態では、固定子コア１は４８個のスロットを設ける。そして、固定子コア１の回転子磁極数が８極である場合、セグメント導体３により構成される分布巻コイルの跨りは４５度の角度を有する。【００５３】
図４（ａ）に示されるように、それぞれのセグメント導体３は、６スロットを飛び越えて跨っている。ひとつのスロット角度が７．５度であるため、セグメント導体３の足同士の角度は４５度の角度となっている。【００５４】
図４（ｂ）は、図４（ａ）に示された固定子コア１の上面図である。【００５５】
セグメント導体３の片方の足は、径方向の外周側１層目のスロット挿入穴に配置される。セグメント導体３のコイルエンド頂点部で折り曲げられる。そしてセグメント導体３のもう片方の足は、径方向の外周側２層目に入っている。ここで、一つのセグメント導体３を挿入した状態では、隣のスロットを塞いでしまうので、隣り合う次のコイルの挿入が困難であることがわかる。【００５６】
図４（ｃ）は、図４（ａ）で示されたセグメント導体３を周方向に４８個並べた状態（コイルがすべて挿入された状態）のコイルエンド部を示す部分斜視図である。セグメント導体３が整列されて並んでいる状態では、干渉なく挿入ができる形状となっている。【００５７】
図５（ａ）は、図４（ｃ）の固定子コア１を取り除いき複数のセグメント導体３だけを示す斜視図である。セグメント導体３が固定子コア１に挿入される状態で整列した状態では、セグメント導体３のコイルエンド部はきれいに整列され、スロットに挿入されるコイルも軸方向と径方向と周方向とも整列されていることがわかる。この状態を保持できれば、固定子コア１への挿入が容易となることがわかる。そこで、この状態を保ったまま、セグメント導体３のコイル群を固定することを考えた。【００５８】
図５（ｂ）は、図５（ａ）で示されたセグメント導体３のコイル群のコイルエンドの頂点部近くの一部を樹脂モールドリング部６によってコイル群を固めた状態を示す斜視図である。【００５９】
これによって、セグメント導体３のコイル群はその姿勢を保ち、コイル群を一体ものとして扱うことが出来るようになる。この一体化されたコイル群を図１（ｃ）で示したように組立するのである。【００６０】
図６（ａ）は、図５（ｃ）で示された別体に構成された樹脂モールドリング部６を示す下面図である。【００６１】
樹脂モールドリング部６は、あらかじめモールド成形される。樹脂モールドリング部６は、リング状部品の片面に、整列されたコイルエンド群のコイルエンド頂点部が精度よく保持されるような複数の凹み形状が形成される。【００６２】
図６（ｂ）は、別体に構成された樹脂モールドリング部６の全体斜視図である。【００６３】
径方向に３層分設けられるセグメント導体３はそれぞれ、樹脂モールドリング部６の円環状の壁によって絶縁及び隔離される。【００６４】
また樹脂モールドリング部６は、セグメント導体３のコイルエンドの頂点部分の形状をしっかり保持できる同一形状を有している。【００６５】
この樹脂モールドリング部６をセグメント導体３のコイル群に被せて接着固定することによって、図５（ｂ）で示した構造と同様の効果を得ることができる。樹脂モールドに比べ、大規模な設備が不要であること、接着剤の選定によっては、早く硬化させられる可能性もある。また、部品として作り込みが可能なので、肉厚を薄くすることや、樹脂の材質を種々選ぶことができるなどの功かもある。さらに、セラミックなどの高熱伝導部材での構成も可能である。【００６６】
図７（ａ）は、図５及び図６で示された樹脂モールドリング部６で一体化されたセグメント導体３及び４のコイル群を固定子コア１に組み付ける途中の状態を示す斜視図を示す。図７（ｂ）は、樹脂モールドリング部６で一体化されたセグメント導体３及び４のコイル群を固定子コア１に組み付けた状態を示す斜視図を示す。【００６７】
図７（ａ）に示されるように、軸方向上部から凸型の先端を持つセグメント導体３のコイル群が固定子コア１に挿入される。また軸方向下側から先端部に凹型の接続部を有するセグメント導体４のコイル群がボビン２を介してスロットに挿入される。【００６８】
固定子コア１の軸方向下側からセグメント導体４のコイル群が挿入後は、プレスによる軸方向加圧によって、セグメント導体３のコイル群、固定子コア１、セグメント導体４のコイル群が軸方向の寸法関係で所定の位置になるように加圧成形する。【００６９】
セグメント導体３及び４のコイル群の先端形状は、前述したように、しまり嵌め以上に寸法関係となっているが、樹脂モールドリング部６に軸方向に平行な加圧をすることにより、均一に応力がかけられるので、しっかりと結合することができる。【００７０】
図８（ａ）は、本実施形態に係る固定子と回転子の関係を説明する斜視図である。【００７１】
本実施形態に係るモータの回転子は、永久磁石１２と、永久磁石１２を収納しかつ回転するロータコア１３と、ロータコア１３を支持する軸１１と、を備える。本実施例では永久磁石同期モータの場合の例を示しているが、回転子は、誘導モータの籠型導体回転子でも、リラクタンスモータの磁性体突極回転子でも良い。【００７２】
永久磁石同期モータの場合は、ロータコア１３の内部または表面に永久磁石１２が配置されている。固定子の内側に回転子が配置され、ギャップを介して回転子表面と固定子内面が対向し、磁束のやり取りを行ってモータとして動作する。【００７３】
図８（ｂ）は、本実施形態に係るモータが組み立てられた形態を示す軸方向の断面図である。【００７４】
軸１１には、軸１１の出力側にボールベアリング１４、反出力側にボールベアリング１５が接触される。ボールベアリング１４及び１５の外周が固定された状態でベアリングの内周面が軸と一体となって回転可能に保持される。【００７５】
ボールベアリング１４の外周は、出力側軸受保持部１６により保持される。ボールベアリング１５の外周は、反出力側軸受保持部１７で保持される。【００７６】
出力側軸受保持部１６及び反出力側軸受保持部１７はハウジング２０により、同軸度を保った状態で構成される。【００７７】
ハウジング２０には、軸方向にボルト１８及び１９で締め付けて軸方向に応力を加えて保持される構成となっている。固定子は、ハウジング２０の軸方向の所定の場所に保持され固定されている。この状態で、コイル群を一体化している樹脂モールドリング部６は、出力側及び反出力側とも、軸受保持部の軸方向面と接触し、軸方向に応力をかけた状態で保持される。【００７８】
これによって、モータとして回転子がトルク脈動や、負荷変動により振動して、固定子に振動や応力が加わった場合においても、ハウジング２０が固定子コイル群が抜け出てきたりすることを防ぐ。【００７９】
また、この構造により、コイルエンド部分から、軸受保持部にコイルで発生したジュール損失による発熱を熱伝導によって冷却できる効果も有する。さらに、樹脂モールドしていないコイルエンド部分には、通常、冷却油（潤滑油）をかける冷却法が採用されることが多く、樹脂で囲われていないセグメント導体３及び４のコイルエンドに直接塗布することができるため、油冷効果を減少させることが無い。【００８０】
また、セグメント導体３及び４をしっかりと軸方向に保持し続けることで、セグメント導体３及び４の完全な固定が出来るので、これまでセグメント導体３及び４の固定に必要であったワニス処理（樹脂によるコイルの固定）工程が不要となり、モータの製造工程を短縮することができる。ワニス処理は、ワニスを乾燥させる乾燥炉（通常は連続炉）が必要となるため、その乾燥炉の投資費用、製造時の熱量（電気代）などの費用の低減にもつながる。【００８１】
図９（ａ）は、セグメント導体３とセグメント導体４の接続形態を示す斜視図である。図９（ｂ）は、セグメント導体３とセグメント導体４の接続形態を示す正面図である。【００８２】
セグメント導体３の凸部とセグメント導体４の凹部の接続は、ボビン２内で区切られた部屋の中で行われるため、ボビン２のスロットの幅方向の寸法をしっかり設計することが重要である。【００８３】
凹凸形状の場合、凸と凹の寸法をしまり嵌め以上の寸法で作成しても、ボビンスロットの寸法が緩いと凹の溝が外側に開いてしまって、きちんと接続できない状態となる。従って、ボビン２の幅方向の寸法は、セグメント導体３とセグメント導体４の平角の外形寸法とほぼ同等であることが望ましい。【００８４】
組立のための隙間公差は、少なくとも本実施例の２ｍｍから３ｍｍ程度の外径寸法の場合で２０ミクロン程度とし、嵌合時に外に開かないような寸法関係としたい。【００８５】
また、図９（ｂ）に示されるように、セグメント導体３とセグメント導体４のヘアピンコイルの足がそれぞれ異なる長さとなっている状態を示している。これにより、接続される箇所が軸方向で異なるので、径方向の溝一つ置きに異なる軸方向位置で接続される。【００８６】
図１０（ａ）は、セグメント導体３とセグメント導体４の嵌合部の比較例としての製作方法を示す部分斜視図である。【００８７】
セグメント導体３とセグメント導体４は平角線の状態から、凸部と凹部を同時にプレス打ち抜きすることで、材料の歩留りを上げ、プレス回数を最小とすることができる。このときには、凹部と凸部の寸法関係はＡで示すように同一の寸法となってしまう。スプリングバックにより、多少の寸法差はできるが、積極的に溝と突起の寸法を設定することは困難である。【００８８】
図１０（ｂ）は、本実施形態に係るセグメント導体３とセグメント導体４の嵌合部の製作方法を示す部分斜視図である。【００８９】
セグメント導体３とセグメント導体４の先端を互いに違う箇所で寸法を規定してプレス加工し、溝の寸法をＢ、突起の寸法をＣのように異なった寸法関係にする。このとき、Ｂ＝１．５（−０．０２ｍｍ〜０ｍｍ）、Ｃ＝１．５（０ｍｍ〜＋０．０２ｍｍ）などのように凸部の寸法を大きく設定ししまり嵌めとすることが望ましい。【００９０】
図１０（ｃ）は、セグメント導体３とセグメント導体４の先端部周辺の部分斜視図である。【００９１】
セグメント導体３とセグメント導体４の加工は微小な寸法の管理が困難であるため、余裕のある寸法関係に打ち抜きしておき、スズ、金、銀などの導電性メッキ２１及び２２によってその寸法を作り込む方法を示している。導電性メッキ２１及び２２は、銅の腐食対策にも有効であり、切断した後に、平角導体のエナメル被膜がついている部分以外の打ち抜き切断部にメッキを施す方法も有益である。【００９２】
図１１（ａ）は、他の実施形態に係るボビン２の斜視図である。図１１（ｂ）は、固定子コア１のティース部５がボビン２に挿入される前の全体斜視図である。図１１（ｃ）は、ティース部５が固定子コア１に固定された部分斜視図である。【００９３】
固定子コア１がティース部５とコアバック部分に分かれた構造の分割コアにおいて、ティース部５の材料の保持をボビン２で行う。ティース部５は、磁束が集中するため、カシメなどの残留応力で鉄損が増加するので、切断しただけの状態で保持を行いたい。【００９４】
その場合に図１１（ａ）に示すような樹脂製のボビン２で保持を行うことが有効である。ティース部５を構成する材料は、鉄基アモルファス箔帯や、高磁束密度が実現可能なナノ結晶合金、またはファインメットや、６．５％Ｓｉ含有の薄電磁鋼板などが挙げられる。これらの鉄心を切断したものを図１１（ｂ）に示すようにボビン２に挿入することで保持を行う。この時のボビン２は、セグメント導体３とセグメント導体４が挿入される部屋を区切るための壁を有している。ティース部５をコアバックコアに組み立てた状態を図１１（ｃ）に示す。【００９５】
図１２（ａ）は、他の実施形態に係るセグメント導体３とセグメント導体４の斜視図である。図１２（ｂ）は、他の実施形態に係るセグメント導体３とセグメント導体４のボビン２への接続状態を示す斜視図である。【００９６】
図１及び図９で示した向きと９０度回転した方向に溝（凹部）、突起（凸部）が向いている形状となっている。これは、図１２（ｂ）に示すように、図１１で示したボビン２が、隣り合わせで重なるとき、接続箇所の横断面の凹面がボビンの壁同士の合わさり面に来ることを避けるためである。【００９７】
同一のスロットには、同相のコイルが配置されるため、電位差は少なく、荷電部が露出していても問題無いのであるが、その面が大きいと、不純物の含有などによって接触し、並列コイルとなってしまうことを少しでも避けるためである。【００９８】
このような場合には、スロット内のワニス含浸処理や、スロット内部に潤滑油（ＡＴＦ）の侵入を防止するためのシール処理を行うことも必要である。ティース部（一体型コアでもティース部が高級グレード鋼板であるばあいも含んで）に磁気特性の優れた材料を用いる場合に、セグメント導体３とセグメント導体４を曲げる工程を経ることによってセグメント導体３とセグメント導体４から固定子ティース部分に応力を付与することになる。【００９９】
この場合、高級鉄板は、応力をかけると磁気特性が劣化して磁化特性が悪くなったり、鉄損が大幅に増加したりする。本実施形態の組み合て方法ではセグメント導体３とセグメント導体４には、軸方向に平行な応力しかかからないため、ティースコアにはまったく応力をかけることなく製造することが可能である。また、余計な応力がかからないので、絶縁性能にも負担をかけないことも大きな効果である。
【符号の説明】
【０１００】
１…固定子コア、２…ボビン、３…セグメント導体、４…セグメント導体、５…ティース部、６…樹脂モールドリング部、７…絶縁紙、８…樹脂モールドリング部、１１…軸、１２…永久磁石、１３…ロータコア、１４…ボールベアリング、１５…ボールベアリング、１６…出力軸側軸受保持部、１７…反出力軸側軸受保持部、１８…ボルト、１９…ボルト、２０…ハウジング、２１…導電性メッキ、２２…導電性メッキ
【図１（ａ）】
2020017133.tif 000003
【図１（ｂ）】
2020017133.tif 000004
【図１（ｃ）】
2020017133.tif 000005
【図２（ａ）】
2020017133.tif 000006
【図２（ｂ）】
2020017133.tif 000007
【図３（ａ）】
2020017133.tif 000008
【図３（ｂ）】
2020017133.tif 000009
【図３（ｃ）】
2020017133.tif 000010
【図４（ａ）】
2020017133.tif 000011
【図４（ｂ）】
2020017133.tif 000012
【図４（ｃ）】
2020017133.tif 000013
【図５（ａ）】
2020017133.tif 000014
【図５（ｂ）】
2020017133.tif 000015
【図６（ａ）】
2020017133.tif 000016
【図６（ｂ）】
2020017133.tif 000017
【図６（ｃ）】
2020017133.tif 000018
【図７（ａ）】
2020017133.tif 000019
【図７（ｂ）】
2020017133.tif 000020
【図８（ａ）】
2020017133.tif 000021
【図８（ｂ）】
2020017133.tif 000022
【図９（ａ）】
2020017133.tif 000023
【図９（ｂ）】
2020017133.tif 000024
【図１０（ａ）】
2020017133.tif 000025
【図１０（ｂ）】
2020017133.tif 000026
【図１０（ｃ）】
2020017133.tif 000027
【図１１（ａ）】
2020017133.tif 000028
【図１１（ｂ）】
2020017133.tif 000029
【図１１（ｃ）】
2020017133.tif 000030
【図１２（ａ）】
2020017133.tif 000031
【図１２（ｂ）】
2020017133.tif 000032
【国際調査報告】
2020017133.tif 000033
2020017133.tif 000034